(57)【要約】【課題】  発電量を随時補正して突発的な熱負荷または／および電力負荷に対応した発電を行うことにより、効率よく電力と熱とを供給する。【解決手段】  コジェネレーションシステムの発電制御装置４０は、所定時間毎に、温水需要ピーク時刻までの時間と同ピーク時刻における温水の過不足量とに基づいて温水需要ピーク時刻までに必要な熱量の単位時間あたり熱量を算出し（単位時間あたり熱量算出部５１）、その熱量を発生させるのに必要な発電量を発電補正量として算出するとともに（発電補正量算出部５２）負荷装置における消費電力を検出し、それら算出した発電補正量と検出した消費電力とに基づいて出力電力を所定時間毎に算出し（発電量指示値算出部５３）その出力電力となるように発電装置を制御する。【選択図】  図３
2006060932.tif 000002
【特許請求の範囲】
【請求項１】
負荷装置に電力を供給する発電装置と、発電の際に生じる熱エネルギーによって加熱された温水を溜めておくとともにその溜めておいた温水を供給する貯湯槽とを備えたコジェネレーションシステムの発電制御方法において、
所定時間毎に、温水需要ピーク時刻までの時間と同ピーク時刻における温水の過不足量とに基づいて前記温水需要ピーク時刻までに必要な熱量の単位時間あたり熱量を算出しその熱量を発生させるのに必要な発電量を発電補正量として算出するとともに前記負荷装置における消費電力を検出し、それら算出した発電補正量と検出した消費電力とに基づいて出力電力を前記所定時間毎に算出しその出力電力となるように前記発電装置を制御するようにしたことを特徴とするコジェネレーションシステムの発電制御方法。
【請求項２】
請求項１において、前記温水需要ピーク時刻までの時間は、前記発電補正量を算出するとともに前記消費電力を検出するその時刻と温水需要パターンとに基づいて算出することを特徴とするコジェネレーションシステムの発電制御方法。
【請求項３】
請求項１において、前記温水需要ピーク時刻における温水の過不足量は、温水供給予測量、温水消費予測量および前記貯湯槽の残湯量に基づいて算出することを特徴とするコジェネレーションシステムの発電制御方法。
【請求項４】
請求項３において、温水供給予測量は、電力需要パターンと前記温水需要ピーク時刻までの時間とに基づいて算出することを特徴とするコジェネレーションシステムの発電制御方法。
【請求項５】
請求項３において、温水消費予測量は、温水需要パターンと前記温水需要ピーク時刻までの時間とに基づいて算出することを特徴とするコジェネレーションシステムの発電制御方法。
【請求項６】
負荷装置に電力を供給する発電装置と、発電の際に生じる熱エネルギーによって加熱された温水を溜めておくとともにその溜めておいた温水を供給する貯湯槽とを備えたコジェネレーションシステムの発電を制御する発電制御装置において、
所定時間毎に、温水需要ピーク時刻までの時間と同ピーク時刻における温水の過不足量とに基づいて前記温水需要ピーク時刻までに必要な熱量の単位時間あたり熱量を算出する単位時間あたり熱量算出手段と、
該単位時間あたり熱量算出手段によって算出された単位時間あたり熱量を発生させるのに必要な発電量を発電補正量として算出する発電補正量算出手段と、
前記所定時間毎に前記負荷装置における消費電力を検出する消費電力検出手段と、
前記発電補正量算出手段によって算出された発電補正量と前記消費電力検出手段によって検出された消費電力とに基づいて発電量指示値を算出して前記発電装置に出力する発電量指示値算出手段とを備えたことを特徴とするコジェネレーションシステムの発電制御装置。
【請求項７】
請求項６において、単位時間あたり熱量算出手段は、前記発電補正量を算出するとともに前記消費電力を検出するその時刻と温水需要パターンとに基づいて前記温水需要ピーク時刻までの時間を算出するピーク時刻までの時間算出手段と、温水供給予測量、温水消費予測量および前記貯湯槽の残湯量に基づいて前記温水需要ピーク時刻における温水の過不足量を算出する温水の過不足量算出手段とから構成されていることを特徴とするコジェネレーションシステムの発電制御装置。
【請求項８】
請求項７において、前記温水の過不足量算出手段は、電力需要パターンと前記温水需要ピーク時刻までの時間とに基づいて前記温水供給予測量を算出する温水供給予測量算出手段と、温水需要パターンと前記温水需要ピーク時刻までの時間とに基づいて前記温水消費予測量を算出する温水消費予測量算出手段とから構成されていることを特徴とするコジェネレーションシステムの発電制御装置。
【請求項９】
負荷装置に電力を供給する発電装置と、発電の際に生じる熱エネルギーによって加熱された温水を溜めておくとともにその溜めておいた温水を供給する貯湯槽と、前記発電装置の発電を制御する発電制御装置とを備えたコジェネレーションシステムにおいて、
前記発電制御装置は、
所定時間毎に、温水需要ピーク時刻までの時間と同ピーク時刻における温水の過不足量とに基づいて前記温水需要ピーク時刻までに必要な熱量の単位時間あたり熱量を算出する単位時間あたり熱量算出手段と、
該単位時間あたり熱量算出手段によって算出された単位時間あたり熱量を発生させるのに必要な発電量を発電補正量として算出する発電補正量算出手段と、
前記所定時間毎に前記負荷装置における消費電力を検出する消費電力検出手段と、
前記発電補正量算出手段によって算出された発電補正量と前記消費電力検出手段によって検出された消費電力とに基づいて発電量指示値を算出して前記発電装置に出力する発電量指示値算出手段とを備えたことを特徴とするコジェネレーションシステム。
【発明の詳細な説明】
【技術分野】
【０００１】
本発明は、コジェネレーションシステム、同システムの発電制御方法および同システムの発電制御装置に関する。
【背景技術】
【０００２】
コジェネレーションシステムとしては、負荷装置に電力を供給する発電装置と、発電の際に生じる熱エネルギーによって加熱された温水を溜めておくとともにその溜めておいた温水を供給する貯湯槽とを備えたものが知られている。このシステムによれば、都市ガスなどを燃料として発電するとともにそのときに生ずる排熱（熱エネルギー）を利用して冷暖房や給湯を行うことにより、電力と熱を併給して高いエネルギー利用効率を達成している。コジェネレーションシステムの発電装置としては、ディーゼルエンジン、ガスエンジン、ガスタービン、マイクロガスタービンなどの原動機とこの原動機によって駆動される発電機から構成されたもの、燃料電池から構成されたものなどが知られている。
【０００３】
このコジェネレーションシステムの発電制御方法の一例としては、特許文献１に示されているコージェネレーション設備の運用方法がある。特許文献１に示されているように、複数の住戸を含む集合住宅、たとえばマンションなどに、商用電力と系統連系して電力供給を行い、廃熱を温水として利用するコージェネレーション設備を導入する。導入するコージェネレーション設備には、温水を貯留可能な貯湯槽を設置しておき、予め定める運転周期毎に設定するスケジュールに従って運転する。スケジュールは、運転周期の電力負荷と熱負荷とを予測し、熱負荷のピーク時に必要な熱量を、コージェネレーション設備の運転を開始しておいて、温水を貯留しておくことによって供給可能なように設定する。コージェネレーション設備の運転は、予め定める電力量以上を常に受電する電主運転で予測された電力負荷を供給するとして、熱負荷のピーク時に先行して運転を開始すべきＯＮ時間を設定し、熱負荷として予測される全熱量の発生を完了する時点を、コージェネレーション設備の運転を停止すべきＯＦＦ時間として設定する。熱負荷のピーク時を挟むＯＮ時間からＯＦＦ時間までコージェネレーション設備を運転するので、効率よく電力と熱とを供給することができる。運転周期毎に電力負荷と熱負荷とを予測してスケジュールを設定し、設定されたスケジュールに従ってコージェネレーション設備を運転するので、適切な運用を行うことができる。
【特許文献１】特開２００３−０８７９７０号公報（第１−７頁、図１−７）
【発明の開示】
【発明が解決しようとする課題】
【０００４】
上述した特許文献１に記載のコージェネレーション設備の運用方法においては、熱負荷のピーク時を挟むＯＮ時間からＯＦＦ時間までコージェネレーション設備を運転するので効率よく電力と熱とを供給することができるが、運転周期毎に電力負荷と熱負荷とを予測してスケジュールを設定し設定されたスケジュールに従ってコージェネレーション設備を運転するため、急な給湯消費などによる突発的な熱負荷の増加、または急な電力消費などによる突発的な電力負荷の増加があった場合、運転周期毎に設定されたスケジュールどおりに運転すると、ピーク時の貯湯量が所望量より少なかったり、ピーク時に到達する前に貯湯量が所望量に到達したりして逆に電力と熱の供給効率が悪化するおそれがあった。
【０００５】
本発明は、上述した問題を解消するためになされたもので、発電量を随時補正して突発的な熱負荷または／および電力負荷に対応した発電を行うことにより、効率よく電力と熱とを供給することができるコジェネレーションシステムを提供することを目的とする。
【課題を解決するための手段】
【０００６】
上記の課題を解決するため、請求項１に係る発明の構成上の特徴は、負荷装置に電力を供給する発電装置と、発電の際に生じる熱エネルギーによって加熱された温水を溜めておくとともにその溜めておいた温水を供給する貯湯槽とを備えたコジェネレーションシステムの発電制御方法において、所定時間毎に、温水需要ピーク時刻までの時間と同ピーク時刻における温水の過不足量とに基づいて温水需要ピーク時刻までに必要な熱量の単位時間あたり熱量を算出しその熱量を発生させるのに必要な発電量を発電補正量として算出するとともに負荷装置における消費電力を検出し、それら算出した発電補正量と検出した消費電力とに基づいて出力電力を所定時間毎に算出しその出力電力となるように発電装置を制御するようにしたことである。
【０００７】
また請求項２に係る発明の構成上の特徴は、請求項１において、温水需要ピーク時刻までの時間は、発電補正量を算出するとともに消費電力を検出するその時刻と温水需要パターンとに基づいて算出することである。
【０００８】
また請求項３に係る発明の構成上の特徴は、請求項１において、温水需要ピーク時刻における温水の過不足量は、温水供給予測量、温水消費予測量および貯湯槽の残湯量に基づいて算出することである。
【０００９】
また請求項４に係る発明の構成上の特徴は、請求項３において、温水供給予測量は、電力需要パターンと温水需要ピーク時刻までの時間とに基づいて算出することである。
【００１０】
また請求項５に係る発明の構成上の特徴は、請求項３において、温水消費予測量は、温水需要パターンと温水需要ピーク時刻までの時間とに基づいて算出することである。
【００１１】
また請求項６に係る発明の構成上の特徴は、負荷装置に電力を供給する発電装置と、発電の際に生じる熱エネルギーによって加熱された温水を溜めておくとともにその溜めておいた温水を供給する貯湯槽とを備えたコジェネレーションシステムの発電を制御する発電制御装置において、所定時間毎に、温水需要ピーク時刻までの時間と同ピーク時刻における温水の過不足量とに基づいて温水需要ピーク時刻までに必要な熱量の単位時間あたり熱量を算出する単位時間あたり熱量算出手段と、この単位時間あたり熱量算出手段によって算出された単位時間あたり熱量を発生させるのに必要な発電量を発電補正量として算出する発電補正量算出手段と、所定時間毎に負荷装置における消費電力を検出する消費電力検出手段と、発電補正量算出手段によって算出された発電補正量と消費電力検出手段によって検出された消費電力とに基づいて発電量指示値を算出して発電装置に出力する発電量指示値算出手段とを備えたことである。
【００１２】
また請求項７に係る発明の構成上の特徴は、請求項６において、単位時間あたり熱量算出手段は、発電補正量を算出するとともに消費電力を検出するその時刻と温水需要パターンとに基づいて温水需要ピーク時刻までの時間を算出するピーク時刻までの時間算出手段と、温水供給予測量、温水消費予測量および貯湯槽の残湯量に基づいて温水需要ピーク時刻における温水の過不足量を算出する温水の過不足量算出手段とから構成されていることである。
【００１３】
また請求項８に係る発明の構成上の特徴は、請求項７において、温水の過不足量算出手段は、電力需要パターンと温水需要ピーク時刻までの時間とに基づいて温水供給予測量を算出する温水供給予測量算出手段と、温水需要パターンと温水需要ピーク時刻までの時間とに基づいて温水消費予測量を算出する温水消費予測量算出手段とから構成されていることである。
【００１４】
また請求項９に係る発明の構成上の特徴は、負荷装置に電力を供給する発電装置と、発電の際に生じる熱エネルギーによって加熱された温水を溜めておくとともにその溜めておいた温水を供給する貯湯槽と、発電装置の発電を制御する発電制御装置とを備えたコジェネレーションシステムにおいて、発電制御装置は、所定時間毎に、温水需要ピーク時刻までの時間と同ピーク時刻における温水の過不足量とに基づいて温水需要ピーク時刻までに必要な熱量の単位時間あたり熱量を算出する単位時間あたり熱量算出手段と、この単位時間あたり熱量算出手段によって算出された単位時間あたり熱量を発生させるのに必要な発電量を発電補正量として算出する発電補正量算出手段と、所定時間毎に負荷装置における消費電力を検出する消費電力検出手段と、発電補正量算出手段によって算出された発電補正量と消費電力検出手段によって検出された消費電力とに基づいて発電量指示値を算出して発電装置に出力する発電量指示値算出手段とを備えたことである。
【発明の効果】
【００１５】
上記のように構成した請求項１に係る発明においては、所定時間毎に、温水需要ピーク時刻までの時間と同ピーク時刻における温水の過不足量とに基づいて温水需要ピーク時刻までに必要な熱量の単位時間あたり熱量を算出しその熱量を発生させるのに必要な発電量を発電補正量として算出するとともに負荷装置における消費電力を検出し、それら算出した発電補正量と検出した消費電力とに基づいて出力電力を所定時間毎に算出しその出力電力となるように発電装置を制御するようにしたので、発電量を随時補正して突発的な熱負荷または／および電力負荷に対応した発電を行うことにより、効率よく電力と熱とを供給することができる。
【００１６】
上記のように構成した請求項２に係る発明においては、請求項１に係る発明において、温水需要ピーク時刻までの時間を、発電補正量を算出するとともに消費電力を検出するその時刻と温水需要パターンとに基づいて算出するので、温水需要ピーク時刻までの時間を確実に算出することができる。
【００１７】
上記のように構成した請求項３に係る発明においては、請求項１に係る発明において、温水需要ピーク時刻における温水の過不足量を、温水供給予測量、温水消費予測量および貯湯槽の残湯量に基づいて算出するので、温水需要ピーク時刻における温水の過不足量を確実に算出することができる。
【００１８】
上記のように構成した請求項４に係る発明においては、請求項３に係る発明において、温水供給予測量を、電力需要パターンと温水需要ピーク時刻までの時間とに基づいて算出するので、温水需要ピーク時刻までに発電によって供給される温水量を確実に予測することができる。
【００１９】
上記のように構成した請求項５に係る発明においては、請求項３に係る発明において、温水消費予測量を、温水需要パターンと温水需要ピーク時刻までの時間とに基づいて算出するので、温水需要ピーク時刻までに消費される温水量を確実に予測することができる。
【００２０】
上記のように構成した請求項６に係る発明においては、単位時間あたり熱量算出手段が、所定時間毎に、温水需要ピーク時刻までの時間と同ピーク時刻における温水の過不足量とに基づいて温水需要ピーク時刻までに必要な熱量の単位時間あたり熱量を算出し、発電補正量算出手段が、単位時間あたり熱量算出手段によって算出された単位時間あたり熱量を発生させるのに必要な発電量を発電補正量として算出し、消費電力検出手段が所定時間毎に負荷装置における消費電力を検出し、発電量指示値算出手段が、発電補正量算出手段によって算出された発電補正量と消費電力検出手段によって検出された消費電力とに基づいて発電量指示値を算出して発電装置に出力する。これにより、それら算出した発電補正量と検出した消費電力とに基づいて出力電力を所定時間毎に算出しその出力電力となるように発電装置を制御するようにしたので、発電量を随時補正して突発的な熱負荷または／および電力負荷に対応した発電を行うことにより、効率よく電力と熱とを供給することができる。
【００２１】
上記のように構成した請求項７に係る発明においては、請求項６に係る発明において、ピーク時刻までの時間算出手段が、発電補正量を算出するとともに消費電力を検出するその時刻と温水需要パターンとに基づいて温水需要ピーク時刻までの時間を算出し、温水の過不足量算出手段が、温水供給予測量、温水消費予測量および貯湯槽の残湯量に基づいて温水需要ピーク時刻における温水の過不足量を算出するので、温水需要ピーク時刻までに必要な熱量の単位時間あたり熱量を確実に算出することができる。
【００２２】
上記のように構成した請求項８に係る発明においては、請求項７に係る発明において、温水供給予測量算出手段が、電力需要パターンと温水需要ピーク時刻までの時間とに基づいて温水供給予測量を算出し、温水消費予測量算出手段が、温水需要パターンと温水需要ピーク時刻までの時間とに基づいて温水消費予測量を算出するので、温水需要ピーク時刻における温水の過不足量を確実に算出することができる。
【００２３】
上記のように構成した請求項９に係る発明においては、単位時間あたり熱量算出手段が、所定時間毎に、温水需要ピーク時刻までの時間と同ピーク時刻における温水の過不足量とに基づいて温水需要ピーク時刻までに必要な熱量の単位時間あたり熱量を算出し、発電補正量算出手段が、単位時間あたり熱量算出手段によって算出された単位時間あたり熱量を発生させるのに必要な発電量を発電補正量として算出し、消費電力検出手段が所定時間毎に負荷装置における消費電力を検出し、発電量指示値算出手段が、発電補正量算出手段によって算出された発電補正量と消費電力検出手段によって検出された消費電力とに基づいて発電量指示値を算出して発電装置に出力することにより、発電制御装置がそれら算出した発電補正量と検出した消費電力とに基づいて出力電力を所定時間毎に算出しその出力電力となるように発電装置を制御する。これにより、発電量を随時補正して突発的な熱負荷または／および電力負荷に対応した発電を行うことにより、効率よく電力と熱とを供給することができる。
【発明を実施するための最良の形態】
【００２４】
以下、本発明によるコジェネレーションシステムの一実施の形態について説明する。図１はこのコジェネレーションシステムの概要を示す概要図である。このコジェネレーションシステムは、負荷装置２１に電力を供給する発電装置１０と、発電の際に生じる熱エネルギーによって加熱された温水を溜めておくとともにその溜めておいた温水を供給する貯湯槽３０と、発電装置１０の発電を制御する発電制御装置４０とを備えている。
【００２５】
発電装置１０は、燃料電池発電装置であり、直流電力を発生する発電器１１と、発電器１１から供給された直流電力を交流電力に変換して出力する変換器（例えばインバータ）１２とを備えている。発電装置１０としては、燃料電池発電装置の他に、ディーゼルエンジン、ガスエンジン、ガスタービン、マイクロガスタービンなどの原動機とこの原動機によって駆動される発電機から構成されたものがある。
【００２６】
発電器１１は、改質装置１１ａ、一酸化炭素低減装置（以下ＣＯ低減装置という）１１ｂおよび燃料電池１１ｃから構成されている。改質装置１１ａは、燃料供給装置１３から供給される燃料（例えば都市ガス）を水供給装置１４から供給される水（改質水）で水蒸気改質して水素リッチな改質ガスを生成してＣＯ低減装置１１ｂに導出するものである。ＣＯ低減装置１１ｂは、一酸化炭素と水蒸気を触媒によって水素ガスと二酸化炭素とに変成するいわゆる一酸化炭素シフト反応、または／および一酸化炭素と外部からさらに供給された一酸化炭素酸化用の空気を触媒により反応させて二酸化炭素を生成する反応などにより、改質ガスに含まれる一酸化炭素を低減して燃料電池１１ｃに導出するものである。燃料電池１１ｃは、燃料極１１ｃ１に供給された改質ガス中の水素および空気極１１ｃ２に供給された酸化剤ガスである空気（カソードエア）を用いて発電するものである。
【００２７】
変換器１２は、ユーザ先である電力使用場所２０に設置されている複数の負荷装置２１に送電線１５を介してそれぞれ接続されており、変換器１２から出力される交流電力は必要に応じて各負荷装置２１に供給されている。負荷装置２１は、電灯、アイロン、テレビ、洗濯機、電気コタツ、電気カーペット、エアコン、冷蔵庫などの電気器具である。なお、変換器１２と電力使用場所２０とを接続する送電線１５には電力会社の系統電源１６も接続されており（系統連系）、発電装置１０の発電量より負荷装置２１の総消費電力が上回った場合、その不足電力を系統電源１６から受電して補うようになっている。電力計２２は、電力使用場所２０で使用される全ての負荷装置２１の合計消費電力を検出して、発電制御装置４０に送信するようになっている。発電制御装置４０は、受信した電力消費量を記憶して後述する電力需要パターンを作成・更新している。
【００２８】
燃料電池１１ｃは、水素と酸素の反応発熱、電池内部の抵抗発熱などによって高温となる場合があり、高温となった燃料電池１１ｃを冷却して所定温度（所定温度域）とするために冷却水流路１１ｃ３を備えている。なお、所定温度（所定温度域）は、燃料電池の触媒の活性温度域となるように設定されている。
【００２９】
冷却水流路１１ｃ３の導入端は、一端が貯湯槽３０の下端部に連結された導入管３１の他端に接続されており、冷却水流路１１ｃ３の導出端は、一端が貯湯槽３０の上端部に連結された導出管３２に接続されている。導入管３１には冷却水送出手段であるポンプ３３が設けられており、このポンプ３３は貯湯槽３０内下部から温度の低い水または温水を吸い込んで燃料電池１１ｃの冷却水流路１１ｃ３に向けて圧送するものである。導入管３１および導出管３２には第１および第２温度センサ３６，３７がそれぞれ設けられており、第１および第２温度センサ３６，３７は、燃料電池１１ｃへ導入される冷却水入口温度Ｔ１および燃料電池１１ｃから導出される冷却水出口温度Ｔ２をそれぞれ検出して発電制御装置４０に送信するようになっている。ポンプ３３は発電制御装置４０に接続されており、発電制御装置４０は第１および第２温度センサ３６，３７、貯湯槽３０内の残湯量センサからそれぞれ検出した冷却水入口温度、冷却水出口温度および残湯量に基づいてポンプ３３の駆動・停止および吐出量を決定しその決定結果となるようにポンプ３３を制御する。ポンプ３３が駆動されると、貯湯槽３０内下部から吸い込まれた温度の低い水または温水は燃料電池１１ｃにて所定温度（例えば約７０℃）まで昇温されて貯湯槽３０内上部に戻される。
【００３０】
貯湯槽３０は、１つの柱状容器を備えており、その内部に温水が層状に、すなわち上部の温水が最も高温であり下部にいくにしたがって低温となり下部の温水が最も低温であるように貯留されるようになっている。貯湯槽３０に貯留されている高温の温水が貯湯槽７４の柱状容器の上部から導出され、その導出された分を補給するように貯湯槽３０の柱状容器の下部から水道水などの水（低温の水）が導入されるようになっている。このような貯湯槽３０は、発電装置１０の近くに設置されている。
【００３１】
また、貯湯槽３０の内部には残湯量検出センサである温度センサ群３４が設けられている。温度センサ群３４は複数（本実施の形態においては１１個）の温度センサ３４−１，３４−２，３４−３，・・・，３４−１１から構成されており、上下方向（鉛直方向）に沿って等間隔（貯湯槽３０内の上下方向高さの十分の一の距離）にて配設されている。温度センサ３４−１は貯湯槽３０の内部上面位置に配置されている。各温度センサ３４−１，３４−２，３４−３，・・・，３４−１１はその位置の貯湯槽３０内の液体（温水または水）の温度をそれぞれ検出するものである。この温度センサ群による各位置での湯温の検出結果に基づいて貯湯槽３０内の残湯量が検出されるようになっている。残湯量は、貯湯槽３０内に残っている所定温度（例えば６０℃）以上である温水の残量を表している。したがって、例えば、各温度センサ３４−１〜３４−３が６０℃以上を検出し、各温度センサ３４−４〜３４−１１が６０℃未満を検出している場合には、残湯量検出センサ３４は貯湯槽３０天井内壁面から温度センサ３４−３までの水量（湯量）を残湯量として検出する。このときの残湯量は貯湯槽３０の容量の２／１０である。また、各温度センサ３４−１〜３４−１０が６０℃以上を検出し、各温度センサ３４−１１が６０℃未満を検出している場合には、残湯量検出センサ３４は貯湯槽３０の容量の９／１０を残湯量として検出する。
【００３２】
なお、６０℃以上を検出した温度センサと６０℃未満を検出した温度センサとの間の残湯量は、これら両温度センサを含む上下複数の温度センサによって算出される温度勾配とセンサ間距離に基づいて算出することができるので、この算出したセンサ間の残湯量を合算することにより、貯湯槽３０内の残湯量をより正確に算出することができる。
【００３３】
また、導出管３１には過熱された冷却水を冷却する冷却水冷却手段であるラジエータ３５が設けられている。ラジエータ３５は自身を空冷するための付設装置として送風機などを備えている。
【００３４】
貯湯槽３０は温水供給管３８を介して例えば台所、浴室などの温水使用場所１７に接続されており、この温水使用場所１７にて温水が使用されると、貯湯槽３０の温水が温水使用場所１７に供給されるようになっている。温水供給管３８には温水供給管３８の流量を検出する流量検出手段である流量計３９が設けられており、流量計３９は検出した温水供給管３８の温水の流量すなわち温水消費量を発電制御装置４０に送信するようになっている。発電制御装置４０は、受信した温水消費量を記憶して後述する温水需要パターンを作成・更新している。
【００３５】
なお、貯湯槽３０の温水を使い切って給湯器１８からの温水供給を受ける場合、給湯器１８の燃料消費量を発電制御装置４０が受信するようになっている。すなわち、給湯器１８には燃料供給装置１３からの燃料が燃料供給管１９を介して供給されており、この燃料供給管１９には燃料の流量を検出する流量検出手段である流量計１９ａが設けられている。流量計１９ａは検出した燃料供給管１９の燃料の流量すなわち燃料消費量を発電制御装置４０に送信するようになっている。そして、発電制御装置４０は、受信した燃料消費量に基づいて給湯器１８が生成した温水の量（燃料消費量から算出可能である）すなわち温水使用場所１７での温水消費量を算出し、その温水消費量を記憶して後述する温水需要パターンを作成・更新している。
【００３６】
図３に示すように、発電制御装置４０は、所定時間毎（例えば１分毎）に、記憶部４１ａに記憶されている温水需要パターンと、タイマ４２が示す現時点の時刻（現在時刻）とを入力して温水需要ピーク時刻までの時間Ｔａを算出する温水需要ピーク時刻までの時間算出部４３を備えている。この温水需要ピーク時刻までの時間算出部４３は、発電補正量を算出するとともに消費電力を検出するその時刻すなわち現時点の時刻と温水需要パターンとに基づいて温水需要ピーク時刻までの時間Ｔａを算出する。
【００３７】
温水需要パターンは、図４に示すように、温水使用場所１７における温水の需要パターンを示すものであり、時刻別温水変動パターンを示している。温水需要パターンは記憶部４１ａに予め記憶されるものである。本実施の形態においては、図４に示すように、７：００から７：３０まで朝食の仕度のために温水が消費され、８：１０から８：３０まで朝食の後片付けのために温水が消費されている。１２：００から１２：２０まで昼食の仕度のために温水が消費され、１２：５０から１３：００まで昼食の後片付けのために温水が消費されている。１７：５０から１８：２０まで夕食のために温水が消費され、１９：００から１９：２０まで夕食の後片付けのために温水が消費されている。そして、２０：００から２０：３０まで入浴（お湯はり、シャワー）のために温水が消費されている。このように、温水をまとめて連続的に使用する時間帯すなわち温水需要ピークが複数存在する。そのなかでも温水量が最大のものを温水需要最大ピークとして選択し、その時間帯の開始時刻を温水需要ピーク時刻とする。本実施の形態においては、温水需要最大ピークは２０：００から２０：３０までのピークであり、温水需要ピーク時刻は２０：００となる。
【００３８】
この温水需要パターンは、温水使用場所１７で消費される温水量を実際に計測したデータに基づいて予め作成されたものである。このデータは、例えば１ヶ月分でもよいし、１年分でもよいし、また季節毎でもよい。また、家族構成毎に作成するようにしてもよい。この場合、男性および女性の人数、年齢を考慮するのが好ましい。このように計測して収集したデータを１０分毎、５分毎、もしくは１分毎に平均を取るなどして計算しその計算結果に基づいて温水需要パターンを作成する。また、前述のようにして予め作成された温水需要パターンを発電制御装置４０に予め記憶させておけば、発電装置１０の使用当初からその温水需要パターンを使用することができるので、発電装置１０の発電を的確に制御することができる。
【００３９】
さらに、温水需要パターンは、発電装置１０の使用中において所定時間毎（例えば１分）に検出して記憶されている温水消費量を使用して日々更新されるようにするのが好ましい。具体的には、最新１ヶ月分のデータを使用してそれらの平均を取るようにすればよい。これによれば、最新のデータを使用することにより温水使用の最新状況を温水需要パターンに反映させることができる。なお、温水消費量は、貯湯槽３０内の温水と給湯器１８からの温水の合計消費量である。
【００４０】
さらに、温水需要パターンを発電制御装置４０に予め記憶させておかない場合もあり、この場合には、発電装置１０の使用当初から、検出された温水消費量を記憶しそれらデータに基づいて温水需要パターンを作成すればよい。
【００４１】
タイマ（タイマカウンタ）４２は、時間を計数するもの（時刻を示すもの）であり、時計機能を有するものであり、所定時間毎にその時刻を温水需要ピーク時刻までの時間算出部４３に送信している。温水需要ピーク時刻までの時間算出部４３は、タイマ４２から入力した現在時刻から、温水需要パターンから導出された温水需要ピーク時刻（本実施の形態では「２０：００」）までの時間である温水需要ピーク時刻までの時間Ｔａを算出する。例えば、現在時刻が２０：３０である場合には、温水需要ピーク時刻までの時間Ｔａは２３時間３０分となる。なお、温水需要ピーク時刻までの時間Ｔａの単位は秒[ｓ]である。
【００４２】
発電制御装置４０は、図３に示すように、所定時間毎に、記憶部４１ａに記憶されている温水需要パターン（図４参照）と、温水需要ピーク時刻までの時間Ｔａとをそれぞれ入力して温水需要ピーク時刻までに消費される温水の消費予測量を算出する温水消費予測量算出部４４を備えている。すなわち、この温水消費予測量算出部４４は、温水需要パターンと、温水需要ピーク時刻までの時間算出部４３から導出された温水需要ピーク時刻までの時間Ｔａとに基づいて温水需要ピーク時刻までに消費される温水の消費予測量を算出する。具体的には、温水需要パターンにおいて現在時刻から温水需要ピーク時刻までの時間Ｔａ分の温水消費量を加算することにより、温水需要ピーク時刻までに消費される温水の消費予測量を算出する。
【００４３】
発電制御装置４０は、所定時間毎に、記憶部４１ｂに記憶されている電力需要パターン（図５参照）と、温水需要ピーク時刻までの時間Ｔａとをそれぞれ入力して温水需要ピーク時刻までに供給される温水の供給予測量を算出する温水供給予測量算出部４５を備えている。すなわち、温水供給予測量算出部４５は、電力需要パターンと、温水需要ピーク時刻までの時間算出部４３から導出された温水需要ピーク時刻までの時間Ｔａとに基づいて温水需要ピーク時刻までに供給される温水の供給予測量を算出する。具体的には、電力需要パターンに基づいて発電によって生成される温水量を示す時刻別温水変動パターンを導出し、その時刻別温水変動パターンにおいて現在時刻から温水需要ピーク時刻までの時間Ｔａ分の温水供給量を加算することにより、温水需要ピーク時刻までに供給される温水の供給予測量を算出する。なお、系統電源１６から受電している場合には、その分を減算する必要がある。
【００４４】
電力需要パターンは、図５に示すように、電力使用場所２０における電力の需要パターンを示すものであり、時刻別電力変動パターンを示している。電力需要パターンは記憶部４１ｂに予め記憶されるものである。本実施の形態においては、図５に示すように電力が消費されている。この電力需要パターンは、電力使用場所２０で消費される電力を実際に計測したデータに基づいて予め作成されたものである。このデータは、例えば１ヶ月分でもよいし、１年分でもよいし、また季節毎でもよい。また、備えられている電化製品種、生活パターン、家族構成などを考慮して作成するようにしてもよい。このように計測して収集したデータを１０分毎、５分毎、もしくは１分毎に平均を取るなどして計算しその計算結果に基づいて電力需要パターンを作成する。また、前述のようにして予め作成された電力需要パターンを発電制御装置４０に予め記憶させておけば、発電装置１０の使用当初からその電力需要パターンを使用することができるので、発電装置１０の発電を的確に制御することができる。
【００４５】
さらに、電力需要パターンは、発電装置１０の使用中において所定時間毎（例えば１分）に検出して記憶されている電力消費量を使用して日々更新されるようにするのが好ましい。具体的には、最新１ヶ月分のデータを使用してそれらの平均を取るようにすればよい。これによれば、最新のデータを使用することにより電力使用の最新状況を電力需要パターンに反映させることができる。さらに、電力需要パターンを発電制御装置４０に予め記憶させておかない場合もあり、この場合には、発電装置１０の使用当初から、検出された電力消費量を記憶しそれらデータに基づいて電力需要パターンを作成すればよい。
【００４６】
発電制御装置４０は、所定時間毎に、温水消費予測量算出部４４からの温水消費予測量、温水供給予測量４５からの温水供給予測量、および貯湯槽残湯量算出部４６からの貯湯槽３０の現時点での残湯量をそれぞれ入力して温水需要ピーク時刻における温水の残存予想量を算出する加算部４７ａを備えている。具体的には、加算部４７ａは下記数１から温水の残存予想量を算出する。
（数１）
温水の残存予想量＝貯湯槽の現時点の残湯量＋温水供給予測量−温水消費予測量
【００４７】
貯湯槽残湯量算出部４６は、温度センサ群３４から各温度センサが配置されている場所の温水の温度を入力し、それら温度に基づいて貯湯槽３０内の残湯量すなわち所定温度（例えば６０℃）以上である温水の残量を算出している。例えば、各温度センサ３４−１〜３４−３が６０℃以上を検出し、各温度センサ３４−４〜３４−１１が６０℃未満を検出している場合には、残湯量検出センサ３４は貯湯槽３０天井内壁面から温度センサ３４−３までの水量（湯量）を残湯量として算出する。このときの残湯量は貯湯槽３０の容量の２／１０である。なお、６０℃以上を検出した温度センサと６０℃未満を検出した温度センサとの間の残湯量は、これら両温度センサを含む上下複数の温度センサによって検出された検出結果に基づいて算出される温度勾配とセンサ間距離に基づいて算出することができるので、この算出したセンサ間の残湯量を合算することにより、貯湯槽３０内の残湯量をより正確に算出することができる。
【００４８】
発電制御装置４０は、所定時間毎に、記憶部４１ｃに記憶されている貯湯槽３０の容量（例えば本実施の形態においては１５０リットル）と、加算部４７ａからの温水の残存予想量をそれぞれ入力して温水需要ピーク時刻における貯湯槽３０の容量に対しての温水の過不足量Ｗを算出する加算部４７ｂを備えている。具体的には、加算部４７ｂは下記数２から温水の過不足量Ｗを算出する。
（数２）
温水の過不足量Ｗ＝貯湯槽の容量−温水の残存予測量
なお、貯湯槽３０の容量は予め記憶部４１ｃに入力され記憶されているものである。
【００４９】
このように、加算部４７ｂにおいては、温水需要ピーク時刻に必要な温水需要量が貯湯槽３０の容量より大きい場合には、そのピーク時刻に貯湯槽３０を所定温度以上の温水で満タンにするように制御しているが、温水需要ピーク時刻に必要な温水需要量が貯湯槽３０の容量より小さい場合には、貯湯槽３０内の残湯量が温水需要ピーク時刻に必要な温水需要量となるように制御すればよい。具体的には、温水需要ピーク時刻に必要な温水需要量と加算部４７ａからの温水の残存予想量をそれぞれ入力して温水需要ピーク時刻における必要な温水需要量に対しての温水の過不足量Ｗを算出するようにすればよい。
【００５０】
発電制御装置４０は、所定時間毎に、温水需要ピーク時刻までの時間Ｔａと、加算部４７ｂからの温水需要ピーク時刻における温水の過不足量Ｗをそれぞれ入力して現時点から温水需要ピーク時刻までに必要な熱量Ｑの単位時間あたり熱量を算出する単位時間あたり熱量算出部５１を備えている。すなわち、この熱量算出部５１は先に算出した温水の過不足量Ｗを所定温度Δｔだけ昇温させるのに必要な熱量Ｑの単位時間あたり熱量（仕事率すなわち電力Ｐ）を算出する。最初に単位時間あたり熱量算出部５１は現時点から温水需要ピーク時刻までに必要な熱量Ｑを算出する。具体的には、温水の過不足量Ｗに加えて燃料電池１１ｃから回収される温水の温度（すなわち、燃料電池１１ｃから導出される燃料電池冷却水出口温度Ｔ２）と燃料電池１１ｃに供給される温水の温度（すなわち、燃料電池１１ｃへ導入される燃料電池冷却水入口温度Ｔ１）とをそれぞれ入力して、下記数３から必要な熱量Ｑを算出する。
（数３）
Ｑ（cal）＝ｃ・Ｗ・Δｔ
＝１[cal／cc・Ｋ]×Ｗ[l]×１０００[cc／l]×（Ｔ２−Ｔ１）[Ｋ]
ここで、ｃは水の比熱でありその単位はｃａｌ／ｃｃ・Ｋである。温水の過不足量Ｗの単位はｌ（リットル）であり、Δｔは燃料電池冷却水出口温度Ｔ２と燃料電池冷却水入口温度Ｔ１の差でありその単位はＫ（ケルビン）である。
【００５１】
なお、燃料電池冷却水入口温度Ｔ１および燃料電池冷却水出口温度Ｔ２は、燃料電池冷却水入口温度検出部４８および燃料電池冷却水出口温度検出部４９から前述した熱量算出部５１にそれぞれ導出されるようになっている。
【００５２】
次に、上記算出した必要な熱量Ｑを得るための仕事量Ｗを下記数４から算出する。
（数４）
Ｗ（Ｊ）＝Ｊ・Ｑ＝４．１９[Ｊ／cal]×Ｑ[cal]
ここで、Ｊは熱の仕事当量であり４．１９としその単位はＪ／ｃａｌである。なお仕事量Ｗの単位はジュール（Ｊ）であり熱の仕事当量のＪとは異なるものである。
【００５３】
そして、入力された温水需要ピーク時刻までの時間Ｔａと上記算出した仕事量Ｗとから仕事率Ｐを下記数５から算出する。
（数５）
Ｐ（Ｗ）＝Ｗ／Ｔａ
ここで、仕事率Ｐの単位はワット（Ｗ）であり、時間Ｔａの単位は秒（ｓ）である。
【００５４】
発電制御装置４０は、所定時間毎に、単位時間あたり熱量算出部５１からの単位時間あたり熱量（仕事率すなわち電力Ｐ）を入力して発電補正量を算出する発電補正量算出手段５２を備えている。この発電補正量算出手段５２は、燃料電池１１ｃの発電効率、貯湯槽３０や貯湯槽３０と燃料電池１１ｃとの冷却水循環系（導入管３１，導出管３２）からの熱損失を考慮して、単位時間あたり熱量算出部５１から入力した必要電力を補正して算出する。具体的には、下記数６から算出する。
（数６）
発電補正量Ｐｈ＝ｃ１×（Ｐ＋ｃ２）
ここで、ｃ１、ｃ２は、燃料電池１１ｃの発電効率、貯湯槽３０や貯湯槽３０と燃料電池１１ｃとの冷却水循環系（導入管３１，導出管３２）からの熱損失を考慮して設定される定数である。
【００５５】
発電制御装置４０は、所定時間毎に、発電補正量算出手段５２からの発電補正量Ｐｈと電力計２２によって検出された負荷装置２１における消費電力Ｐｓをそれぞれ入力して発電装置１０に必要な発電量を算出する加算部４７ｃを備えている。具体的には、この加算部４７ｃは、所定時間毎に電力使用場所２０に配設された負荷装置２１における消費電力Ｐｓを検出する消費電力検出手段である電力計２２から消費電力Ｐｓを直接入力するか、あるいは現時点の消費電力Ｐｓを含めた過去数件のデータに基づいて算出された値（例えば平均値）を入力する。この入力された消費電力Ｐｓと発電補正量算出手段５２から入力された発電補正量Ｐｈとを加算してその加算値を発電量指示値算出部５３に出力する。
【００５６】
そして、発電制御装置４０は、加算部４７ｃから入力された加算値に基づいて加算値である電力となるように発電量指示値を算出して発電器１１に送信指示する。発電量指示値は、燃料電池１１ｃに供給する改質ガス中の水素ガス量を規定するものであり、すなわち改質装置１１ａに供給される燃料量および改質水量を規定するものである。したがって、発電器１１は、発電量指示値どおりに燃料量、改質水量を改質装置１１ａに供給して、消費電力Ｐｓに上記のように算出した発電補正量Ｐｈを上乗せした発電量を出力する。
【００５７】
なお、特許請求の範囲に記載の単位時間あたり熱量算出手段は単位時間あたり熱量算出部５１であり、発電補正量算出手段は発電補正量算出部であり、消費電力検出手段は電力計２２であり、発電量指示値算出手段は加算部４７ｃと発電量指示値算出部５３で構成され、ピーク時刻までの時間算出手段はピーク時刻までの時間算出部４３であり、温水の過不足量算出手段は温水消費予測量算出部４４、温水供給予測量算出部４５、および加算部４７ａ，４７ｂで構成され、温水消費予測量算出手段は温水消費予測量算出部４４であり、温水供給予測量算出手段は温水供給予測量算出部４５である。
【００５８】
次に、上述したコジェネレーションシステムの発電制御方法について説明する。発電制御装置４０は、基本的には、電力計２２を使用して電力使用場所２０の消費電力を計測し、計測した消費電力をメモリ３１に記憶し、消費電力と同一となるように発電装置１０の出力電力を追従させる消費電力追従制御を実行している。発電制御装置４０は、この消費電力追従制御に加えて、所定時間毎に、温水需要ピーク時刻までの時間Ｔａと同ピーク時刻における温水の過不足量Ｗとに基づいて温水需要ピーク時刻までに必要な熱量Ｑの単位時間あたり熱量Ｗを算出しその熱量を発生させるのに必要な発電量Ｐｈを発電補正量として算出するとともに負荷装置２１における消費電力Ｐｓを検出し、それら算出した発電補正量Ｐｈと検出した消費電力Ｐｓとに基づいて出力電力を所定時間毎に算出しその出力電力となるように発電装置１０を制御している。
【００５９】
具体的には、発電制御装置４０は、所定時間毎に、温水需要ピーク時刻までの時間算出部４３にて上述したように温水需要ピーク時刻までの時間Ｔａを算出して温水消費予測量算出部４４、温水供給予測量算出部４５および単位時間あたり熱量算出部５１にそれぞれ出力する。温水消費予測量算出部４４および温水供給予測量算出部４５は温水需要ピーク時刻までの時間Ｔａをそれぞれ入力すると、上述したように温水消費予測量および温水供給予測量を算出して加算部４７ａに出力する。加算部４７ａは温水消費予測量および温水供給予測量を入力すると、上述したように温水需要ピーク時刻における温水の残存予想量を算出して加算部４７ｂに出力する。加算部４７ｂは、温水需要ピーク時刻における温水の残存予想量を入力すると、上述したように温水の過不足量Ｗを算出して単位時間あたり熱量算出部５１に出力する。この熱量算出部５１は、温水の過不足量Ｗを入力すると、先に入力した温水需要ピーク時刻までの時間Ｔａなどに基づいて上述したように現時点から温水需要ピーク時刻までに必要な熱量Ｑの単位時間あたりの熱量すなわち仕事率Ｐを算出して発電補正量算出部５２に出力する。発電補正量算出部５２は、単位時間あたりの熱量を入力すると、上述したように発電補正量Ｐｈを算出して加算部４７ｃに出力する。加算部４７ｃは、発電補正量Ｐｈを入力すると、上述したように発電量指示値を算出して発電装置１０すなわち発電器１１に出力する。発電器１１は、発電量指示値どおりに燃料量、改質水量を改質装置１１ａに供給して、消費電力Ｐｓに発電補正量Ｐｈを上乗せした発電量を出力する。
【００６０】
上述した説明から明らかなように、本実施の形態においては、所定時間毎に、温水需要ピーク時刻までの時間Ｔａと同ピーク時刻における温水の過不足量Ｗとに基づいて温水需要ピーク時刻までに必要な熱量Ｑの単位時間あたり熱量Ｐを算出しその熱量を発生させるのに必要な発電量Ｐｈを発電補正量として算出するとともに負荷装置２１における消費電力Ｐｓを検出し、それら算出した発電補正量Ｐｈと検出した消費電力Ｐｓとに基づいて出力電力を所定時間毎に算出しその出力電力となるように発電装置１０を制御するようにしたので、発電量を随時補正して突発的な熱負荷または／および電力負荷に対応した発電を行うことにより、効率よく電力と熱とを供給することができる。
【００６１】
また、温水需要ピーク時刻までの時間Ｔａを、発電補正量Ｐｈを算出するとともに消費電力Ｐｓを検出するその時刻と温水需要パターンとに基づいて算出するので、温水需要ピーク時刻までの時間Ｔａを確実に算出することができる。
【００６２】
また、温水需要ピーク時刻における温水の過不足量Ｗを、温水供給予測量、温水消費予測量および貯湯槽の残湯量に基づいて算出するので、温水需要ピーク時刻における温水の過不足量Ｗを確実に算出することができる。
【００６３】
また、温水供給予測量を、電力需要パターンと温水需要ピーク時刻までの時間Ｔａとに基づいて算出するので、温水需要ピーク時刻までに発電によって供給される温水量を確実に予測することができる。
【００６４】
また、温水消費予測量を、温水需要パターンと温水需要ピーク時刻までの時間Ｔａとに基づいて算出するので、温水需要ピーク時刻までに消費される温水量を確実に予測することができる。
【００６５】
また、単位時間あたり熱量算出部５１が、所定時間毎に、温水需要ピーク時刻までの時間Ｔａと同ピーク時刻における温水の過不足量Ｗとに基づいて温水需要ピーク時刻までに必要な熱量Ｑの単位時間あたり熱量Ｐを算出し、発電補正量算出部５２が、単位時間あたり熱量算出部５１によって算出された単位時間あたり熱量Ｐを発生させるのに必要な発電量Ｐｈを発電補正量として算出し、電力計２２が所定時間毎に負荷装置２１における消費電力を検出し、加算部４７ｃと発電量指示値算出部５３が、発電補正量算出部５２によって算出された発電補正量Ｐｈと電力計２２によって検出された消費電力Ｐｓとに基づいて発電量指示値を算出して発電装置１０に出力する。これにより、それら算出した発電補正量Ｐｈと検出した消費電力Ｐｓとに基づいて出力電力を所定時間毎に算出しその出力電力となるように発電装置１０を制御するようにしたので、発電量を随時補正して突発的な熱負荷または／および電力負荷に対応した発電を行うことにより、効率よく電力と熱とを供給することができる。
【００６６】
また、ピーク時刻までの時間算出部４３が、発電補正量Ｐｈを算出するとともに消費電力Ｐｓを検出するその時刻と温水需要パターンとに基づいて温水需要ピーク時刻までの時間をＴａ算出し、温水の過不足量を最終的に算出する加算部４７ｂが、温水供給予測量、温水消費予測量および貯湯槽の残湯量に基づいて温水需要ピーク時刻における温水の過不足量Ｗを算出するので、温水需要ピーク時刻までに必要な熱量Ｑの単位時間あたり熱量Ｐを確実に算出することができる。
【００６７】
また、温水供給予測量算出部４５が、電力需要パターンと温水需要ピーク時刻までの時間Ｔａとに基づいて温水供給予測量を算出し、温水消費予測量算出部４４が、温水需要パターンと温水需要ピーク時刻までの時間Ｔａとに基づいて温水消費予測量を算出するので、温水需要ピーク時刻における温水の過不足量Ｗを確実に算出することができる。
【図面の簡単な説明】
【００６８】
【図１】本発明によるコジェネレーションシステムの一実施の形態の概要を示す概要図である。
【図２】図１に示す発電器および貯湯槽を詳細に示す概要図である。
【図３】図１に示す発電制御装置をブロック線図化した概要図である。
【図４】温水使用場所における温水需要パターンを示す図である。
【図５】電力使用場所における電力需要パターンを示す図である。
【符号の説明】
【００６９】
１０…発電装置、１１…発電器、１１ａ…改質装置、１１ｂ…ＣＯ低減装置、１１ｃ…燃料電池、１２…変換器、１３…燃料供給装置、１４…水供給装置、１５…送電線、１６…系統電源、１７…温水使用場所、１８…給湯器、１９…燃料供給管、１９ａ…流量計、２０…電力使用場所、２１…負荷装置、２２…電力計、３０…貯湯槽、３１…導入管、３２…導出管、３３…ポンプ、３４…残湯量検出センサ、３５…ラジエータ、３６，３７…第１および第２温度センサ、３８…温水供給管、３９…流量計、４０…発電制御装置、４１ａ，４１ｂ，４１ｃ…記憶部、４２…タイマ、４３…温水需要ピーク時刻までの時間算出部、４４…温水消費予測量算出部、４５…温水供給予測量算出部、４６…貯湯槽残湯量算出部、４７ａ，４７ｂ，４７ｃ…加算部、４８…燃料電池冷却水入口温度検出部、４９…燃料電池冷却水出口温度検出部、５１…単位時間あたり熱量算出部、５２…発電補正量算出部、５３…発電量指示値算出部。
【図１】
2006060932.tif 000003
【図２】
2006060932.tif 000004
【図３】
2006060932.tif 000005
【図４】
2006060932.tif 000006
【図５】
2006060932.tif 000007